(57)【特許請求の範囲】
【請求項１】
容器本体の上端部に取り付けられるとともに上下方向に延びる受容孔を有する蓋本体と、飲み口部を有し、前記飲み口部が前記容器本体から上に突出するように前記受容孔に挿入された飲み口部材と、前記飲み口部を覆う閉じ位置と前記飲み口部を開放する開き位置との間で開閉可能に前記蓋本体に取り付けられた開閉操作蓋とを備えた蓋部材であって、
前記蓋本体は、前記受容孔の後方側に形成され前記開閉操作蓋を軸支する軸支部と、前記受容孔の前側に形成され前記開閉操作蓋を前記閉じ位置で解除可能にロックするための開閉操作蓋用ロック部と、前記軸支部と前記開閉操作蓋用ロック部とを結ぶ線に沿う第１方向に略直交する第２方向に沿って且つ前記結ぶ線を挟んだ両側に設けられた２つの飲み口部材用係合部とを備え、
前記飲み口部材は、前記飲み口部材用係合部と対応する位置に、前記飲み口部材の下向きの移動を規制するように、前記飲み口部材用係合部に係脱自在に係合される２つの被係合部を備え、
前記飲み口部材用係合部は、前記受容孔の縁部から下方に延びる内周壁に、前記蓋本体の上端面よりも下方側に配置されるように、前記受容孔の内側に突設され、
前記被係合部は、前記蓋本体の上端面よりも下方に設けられ、前記飲み口部材用係合部の上面に当たる下面を有し、
前記飲み口部材は、前記被係合部の前記下面から前記内周壁に沿って前記蓋本体の上端面よりも上方に延びる側面を有し、
前記飲み口部材用係合部の上面から前記蓋本体の上端面までの高さは、前記飲み口部材用係合部の上下方向の高さよりも高いことを特徴とする蓋部材。
【請求項２】
前記飲み口部材用係合部と前記被係合部とが互いに係合された状態で、前記飲み口部材と前記受容孔の内周壁との間に、前記飲み口部材の前記上下方向の移動を許容し、且つ前記第１方向の傾きを規制し得るように設定されたクリアランスが設けられていることを特徴とする請求項１に記載の蓋部材。
【請求項３】
前記蓋本体は、円筒状の円筒部と、前記円筒部の上端部に設けられた天板とを備え、
前記受容孔は、前記第２方向の長さが前記第１方向の長さよりも大きくなるように、前記天板に形成されていることを特徴とする請求項１又は２に記載の蓋部材。
【請求項４】
前記２つの飲み口部材用係合部は、前記上下方向の位置が互いに略同じになるように形成されていることを特徴とする請求項１〜３の何れか一項に記載の蓋部材。
【請求項５】
前記被係合部は、前記飲み口部材の上端よりも下方側に配置されていることを特徴とする請求項１〜４の何れか一項に記載の蓋部材。
【請求項６】
前記飲み口部材用係合部及び前記受容孔の内周壁は、１つの部材によって形成されていることを特徴とする請求項１〜５の何れか一項に記載の蓋部材。
【請求項７】
前記被係合部及び前記飲み口部は、１つの部材によって形成されていることを特徴とする請求項１〜６の何れか一項に記載の蓋部材。
【発明の詳細な説明】
【技術分野】
【０００１】
本発明は、液体を収納可能な容器本体に取り付けられる蓋部材に関するものである。
【背景技術】
【０００２】
従来から、液体を収納可能な容器本体に取り付けられる蓋部材は広く知られている。このような蓋部材として、例えば特許文献１に、飲料容器の栓体が開示されている。この栓体は、容器本体の口部に着脱自在に取り付けられる栓本体と、この栓本体に軸支されて開閉自在に設けられる開閉操作蓋とを備える。又、前記栓本体は、前記容器本体の口部に装着すると共に上部開口を有する蓋本体と、この蓋本体の上部開口に下方から着脱自在に挿入して該上部開口から突設されると共に前記蓋本体の内側に配置され、且つ液通孔を有する飲み口部材とを備える。又、前記蓋本体の上部開口の、軸支部と反対側に係合受け部を設けるとともに、開閉操作蓋をロック操作及びロック解除操作するロック操作部を設ける。そして、飲み口部材に設けられた被係合部を前記係合受け部の上に係入した後、前記被係合部を支点として前記飲み口部材の軸支部側を上方に持ち上げると、前記蓋本体と飲み口部材とが前記軸支部側で係止する。又、飲み口部材と蓋本体とを分解するには、前記蓋本体と飲み口部材との前記軸支部側での係止状態を解除し、さらに、反軸支側で前記係合受け部から前記被係合部を外す。これにより、前記飲み口部材を前記蓋本体より下方に抜き出して分解できるようになっている。
【先行技術文献】
【特許文献】
【０００３】
【特許文献１】特許第５５５６９３７号公報
【発明の概要】
【発明が解決しようとする課題】
【０００４】
しかしながら、特許文献１では、飲み口部材と蓋本体とが軸支部側で係止し、蓋本体の反軸支部側に設けた係合受け部と飲み口部材に設けた被係合部とを係合させている。そのため、飲み口部材と蓋本体とを係合させる場合における、係合部を支点にして飲み口部材の軸支部側を上方に持ち上げる係合操作に際し、或いは、飲み口部材と蓋本体とを分解する場合における、飲み口部材と蓋本体との軸支部側での係合状態を解除する分解操作に際して、蓋本体に軸支部で軸支された開閉操作蓋、或いは、蓋本体に設けたロック操作部が操作の邪魔になって前記係合操作或いは前記分解操作がし難い場合があるという問題点がある。
【０００５】
本発明は、飲み口部材と蓋本体とを係合させる操作及び飲み口部材と蓋本体とを分解する操作を容易に行うことができる蓋部材の提供を目的とする。
【課題を解決するための手段】
【０００６】
上記課題を解決するため、本発明は、容器本体の上端部に取り付けられるとともに上下方向に延びる受容孔を有する蓋本体と、飲み口部を有し、前記飲み口部が前記容器本体から上に突出するように前記受容孔に挿入された飲み口部材と、前記飲み口部を覆う閉じ位置と前記飲み口部を開放する開き位置との間で開閉可能に前記蓋本体に取り付けられた開閉操作蓋とを備えた蓋部材であって、前記蓋本体は、前記受容孔の後方側に形成され前記開閉操作蓋を軸支する軸支部と、前記受容孔の前側に形成され前記開閉操作蓋を前記閉じ位置で解除可能にロックするための開閉操作蓋用ロック部と、前記軸支部と前記開閉操作蓋用ロック部とを結ぶ線に沿う第１方向に略直交する第２方向に沿って且つ前記結ぶ線を挟んだ両側に設けられた２つの飲み口部材用係合部とを備え、前記飲み口部材は、前記飲み口部材用係合部と対応する位置に、前記飲み口部材の下向きの移動を規制するように、前記飲み口部材用係合部に係脱自在に係合される２つの被係合部を備え、前記飲み口部材用係合部は、前記受容孔の縁部から下方に延びる内周壁に、前記蓋本体の上端面よりも下方側に配置されるように、前記受容孔の内側に突設され、前記被係合部は、前記蓋本体の上端面よりも下方に設けられ、前記飲み口部材用係合部の上面に当たる下面を有し、前記飲み口部材は、前記被係合部の前記下面から前記内周壁に沿って前記蓋本体の上端面よりも上方に延びる側面を有し、前記飲み口部材用係合部の上面から前記蓋本体の上端面までの高さは、前記飲み口部材用係合部の上下方向の高さよりも高いことを特徴とする蓋部材を提供する。
【０００７】
これによれば、２つの飲み口部材用係合部は軸支部と開閉操作蓋用ロック部とを結ぶ線に沿う第１方向に略直交する第２方向に沿って前記結ぶ線を挟んだ両側に配置され、飲み口部材は、前記飲み口部材の外周壁における飲み口部材用係合部と対応する位置に前記飲み口部材用係合部に係合される被係合部を備えているため、飲み口部材と蓋本体とを係合させる操作を行う場合、或いは、互いに係合した飲み口部材と蓋本体とを分解する操作を行う場合に、開閉操作蓋及び開閉操作蓋用ロック部が邪魔になるおそれが少なくなり、飲み口部材と蓋本体とを係合させる操作及び飲み口部材と蓋本体とを分解する操作を容易に行うことができる。
また、前記飲み口部材用係合部は、受容孔の縁部から下方に延びる内周壁に、蓋本体の上端面よりも下方側に配置されるように、受容孔の内側に突設されているため、蓋本体の飲み口部材用係合部と飲み口部材の被係合部とが互いに係合された状態で、飲み口部材用係合部と飲み口部材の被係合部とが蓋本体の上端面から突出することを防止でき、蓋本体の上端面を清掃し易いものにできる。
さらに、飲み口部材の側面は、蓋本体の上端面よりも下方に設けられた被係合部の下面から内周壁に沿って蓋本体の上端面よりも上方に延びるため、蓋本体と飲み口部材との係合部が蓋本体の上端面と飲み口部材の側面とによって蓋本体の上端面から一定の深さの下方に隠れる。これにより、蓋本体と飲み口部材とが係合している印象を与えにくく、蓋部材の外観を良好なものとすることができる。
【０００８】
前記飲み口部材用係合部と前記被係合部とが互いに係合された状態で、前記飲み口部材と前記受容孔の内周壁との間に、前記飲み口部材の前記上下方向の移動を許容し、且つ前記第１方向の傾きを規制し得るように設定されたクリアランスが設けられている構成にできる。
【０００９】
これによれば、飲み口部材用係合部と被係合部とが係合された状態で、飲み口部材と蓋本体とのがたつきを極力抑え得るものにでき、例えば飲み口部材と蓋本体との係合が不意に外れるおそれの少ないものにできる。
【００１０】
前記蓋本体は、円筒状の円筒部と、前記円筒部の上端部に設けられた天板とを備え、前記受容孔は、前記第２方向の長さが前記第１方向の長さよりも大きくなるように、前記天板に形成されている構成にできる。
【００１１】
これによれば、第２方向における天板の面積が第１方向のそれよりも狭くなることにより、蓋本体は力の付与により第１方向よりも第２方向に変形し易くなる。従って、第２方向に沿って配置された飲み口部材用係合部と被係合部との係合及び係合解除が容易になる。しかも、複数回の係合操作や係合解除操作でも飲み口部材用係合部又は被係合部のへたりや摩耗が抑えられる。
【００１２】
前記２つの飲み口部材用係合部は、前記上下方向の位置が互いに略同じになるように形成されている構成にできる。
【００１３】
これによれば、２つの飲み口部材用係合部を飲み口部材の被係合部に略同時に係合させることができ、係合操作が容易になる。
【００１４】
前記被係合部は、前記飲み口部材の上端よりも下方側に配置されている構成にできる。
【００１５】
これによれば、例えば飲み口に直接口を付けるようにして飲み口から容器本体に収容した液体を飲む場合に、被係合部が顔の一部に当たるおそれの少ないものにでき、飲み口から容器本体に収容した液体を飲み易いものにできる。
【００１８】
前記飲み口部材用係合部及び前記受容孔の内周壁は、１つの部材によって形成されている構成にできる。
【００１９】
これによれば、蓋部材を簡素化でき、蓋部材の部品点数が多くなることを抑えることができ、しかも、飲み口部材用係合部の形成が容易になる。
【００２０】
前記被係合部及び前記飲み口部は、１つの部材によって形成されている構成にできる。
【００２１】
これによれば、飲み口部材を簡素化でき、飲み口部材の部品点数が多くなることを抑えることができる。しかも、被係合部の形成が容易になる。
【発明の効果】
【００２２】
本発明の蓋部材は、飲み口部材と蓋本体とを係合させる操作及び飲み口部材と蓋本体とを分解する操作を容易に行うことができる。
【図面の簡単な説明】
【００２３】
【図１】本発明の蓋部材を有する一実施形態の携帯タンブラーの断面図である。
【図２】図１の一部を省略したＩＩ−ＩＩ線断面図である。
【図３】図１の蓋部材の蓋本体の一部を省略した平面図である。
【図４】図３の底面図である。
【図５】図３のＶ−Ｖ線断面図である。
【図６】図３のＶＩ−ＶＩ線断面図である。
【図７】図１の蓋部材の飲み口部材の平面図である。
【図８】図７の底面図である。
【図９】図７の正面図である。
【図１０】図７の右側面図である。
【図１１】図７のＸＩ−ＸＩ線断面図である。
【図１２】図７のＸＩＩ−ＸＩＩ線断面図である。
【図１３】蓋本体に飲み口部材を係合させる際の説明図である。
【発明を実施するための形態】
【００２４】
以下、本発明を実施するための形態について、図面を参照しながら詳細に説明する。図１は、本発明の蓋部材を有する一実施形態の液体収納容器の断面図であり、図２は、図１の一部を省略したＩＩ−ＩＩ線断面図である。
【００２５】
本発明の蓋部材２は、図１、図２に示すように液体を収納可能な容器本体１０に取り付けられて使用され、蓋部材２と容器本体１０とで液体収納容器を構成する。
【００２６】
この実施形態では、液体収納容器は、携帯タンブラー１から構成されている。この実施形態の携帯タンブラー１における容器本体１０は、上面を開口した金属製の内容器１１及び外容器１２の上端同士を一体に接合したもので、内容器１１と外容器１２との間に、真空断熱構造の断熱部１３が形成されている。又、容器本体１０の上端部の外周には、蓋部材２を螺合する雄ネジ部１４が形成されている。
【００２７】
次に、本発明の蓋部材２について説明する。この蓋部材２は、図１、図２に示すように蓋本体３と、開閉操作蓋４と、飲み口部材５とを備えている。
【００２８】
蓋本体３は、図３〜図６に示すように、円筒状の円筒部３１と、円筒部３１の軸方向である上下方向の上端側に形成された天板３２とを備えている。
【００２９】
円筒部３１の内周面には、容器本体１０の雄ネジ部１４と螺合する雌ネジ部３１１が設けられており、この雌ネジ部３１１が雄ネジ部１４に螺合されることで蓋本体３が容器本体１０に取り付けられ、螺合された雌ネジ部３１１が雄ネジ部１４から外されることで蓋本体３が容器本体１０から取り外され得るようになっている。
【００３０】
また、円筒部３１の外周面における前部に、開閉操作蓋４を後述の閉じ位置で解除可能にロックするための開閉操作蓋用ロック部３４が設けられている。この実施形態の開閉操作蓋用ロック部３４は、図１に示すように、開閉操作蓋４をロックするロック操作片３４１と、ロック操作片３４１を押圧操作する押圧操作片３４２とを備えている。
【００３１】
ロック操作片３４１は、上端側に、円筒部３１と対向するように円筒部３１の径方向外側に配置されたロック爪３４１ａを備え、下部側に、被押圧操作部３４１ｂを備え、ロック爪３４１ａと被押圧操作部３４１ｂとの間の中間部が軸３４３を介して円筒部３１に軸支されている。又、ロック操作片３４１は、軸３４３に付設されたロック操作片用付勢部材としてのねじりコイルバネ３４４によって常時ロック爪３４１ａが円筒部３１側（Ｙ１側）に付勢された状態にされている。
【００３２】
押圧操作片３４２は、円筒部３１の径方向におけるロック操作片３４１の外側に配置されており、下部側に押圧操作部３４２ａを備えている。この押圧操作片３４２は、この実施形態では、下位置から上位置までの所定の範囲を上下方向に摺動自在にロック操作片３４１に取り付けられている。
【００３３】
詳しくは、押圧操作片３４２は、押圧操作部３４２ａが円筒部３１に設けられた当て止め部３１２と対向した、当て止め部の外側位置に配置された下位置（押圧操作部３４２ａを一点鎖線で示した位置）から、押圧操作部３４２ａが円筒部３１の当て止め部３１２の上方位置に配置された上位置（図１に示す位置）までの範囲を上下に摺動する。
【００３４】
そして、押圧操作片３４２が下位置にくると、押圧操作部３４２ａが押圧されても当て止め部３１２によって押圧操作片３４２は回動せず、ロック操作片３４１を押圧操作できない状態になる。一方、押圧操作片３４２が上位置にくると、押圧操作部３４２ａが円筒部３１の当て止め部３１２の上方位置になり、この状態で、押圧操作部３４２ａが押圧されるに伴い被押圧操作部３４１ｂが円筒部３１側（Ｙ１側）に押圧され、これにより、ロック操作片３４１が軸３４３回りに回動し、ロック爪３４１ａが円筒部３１の外側（Ｙ２側）に回動する。
【００３５】
天板３２は、図３〜図５に示すように、その後部側に、開閉操作蓋４を軸支する軸支部３３を備えている。軸支部３３は、天板３２と一体的に天板３２から上方に突出するように形成されており、その上端部に、回動軸７１（図１に図示）を嵌挿する嵌挿孔３３１を備えている。
【００３６】
また、天板３２は、軸支部３３の前方側に、飲み口部材５を受容する受容孔３３２を備えている。この実施形態の受容孔３３２は、左右方向（第２方向、Ｘ１−Ｘ２方向）の長さＬ１が前後方向（第１方向、Ｙ１−Ｙ２）の長さＬ２よりも大きくなるように形成されている。
【００３７】
また、受容孔３３２の内周壁３３３に、飲み口部材５と係合する２つの飲み口部材用係合部３３４が設けられている。これら２つの飲み口部材用係合部３３４は、軸支部３３とロック操作片３４１とを結ぶ線Ｐに沿う前後方向（第１方向）に略直交する左右方向（第２方向）に沿って且つ前記結ぶ線Ｐを挟んだ両側のそれぞれに、受容孔３３２の内側に突設されている。
【００３８】
又、この実施形態では、２つの飲み口部材用係合部３３４は内周壁３３３と一体成形によって形成されている。即ち、２つの飲み口部材用係合部３３４及び内周壁３３３は、１つの部材から構成され、これにより、飲み口部材用係合部３３４の形成を容易なものにするとともに、蓋本体３の部品点数が少なくなるようにしている。
【００３９】
次に、飲み口部材５について説明する。飲み口部材５は、図７〜図１２に示すように、上部側に飲み口部５１を備え、下部側に容器本体閉鎖用パッキン取付部５２を備えている。
【００４０】
飲み口部５１は、筒状を呈しており、飲み口部５１が受容孔３３２に入り込み得るように、外周形状が蓋本体３における受容孔３３２の内周壁３３３と略同形状に形成されている。又、この実施形態では、飲み口部５１の外周壁と受容孔３３２の内周壁３３３との間のクリアランスが、受容孔３３２の内周壁３３３に対する飲み口部材５の上下方向の移動を許容し、且つ前後方向（Ｙ１−Ｙ２方向）の傾きを規制し得るように設定されている。
【００４１】
また、この飲み口部５１の内側に、容器本体１０に収納された液体を飲み口部５１の内側に通す液通孔５３が設けられている。
【００４２】
容器本体閉鎖用パッキン取付部５２は、容器本体１０と蓋部材２との隙間を塞ぐための容器本体閉鎖用パッキン６２（図１、図２に図示）を取り付ける部分で、この実施形態の容器本体閉鎖用パッキン取付部５２は、蓋本体３における円筒部３１の内周よりもやや径の小さい円筒形状に形成されており、外周に、容器本体閉鎖用パッキン６２を係止するための係止凸部５２１を備えている。
【００４３】
係止凸部５２１は、所定の厚さで、容器本体閉鎖用パッキン取付部５２の外周から径方向外側に突出するように、容器本体閉鎖用パッキン取付部５２の外周の全周にわたって形成されている。
【００４４】
そして、このように形成された容器本体閉鎖用パッキン取付部５２に、合成ゴム製の容器本体閉鎖用パッキン６２が取り付けられる。詳しくは、容器本体閉鎖用パッキン６２は、図１、図２に示すように、容器本体１０の上部側の内周に入り込み可能な円筒状のものから構成されており、内周に、係止凸部５２１が嵌まり込み可能な係止凹部６２１を備えている。そして、係止凹部６２１に係止凸部５２１が嵌め込まれることで、容器本体閉鎖用パッキン取付部５２に容器本体閉鎖用パッキン６２が取り付けられている。
【００４５】
また、飲み口部材５は、蓋本体３の飲み口部材用係合部３２４のそれぞれに係脱自在に係合される被係合部５４を備えている。
【００４６】
この実施形態では、被係合部５４は、図７〜図１０及び図１２に示すように、外周における飲み口部５１と容器本体閉鎖用パッキン取付部５２との間、且つ左側部と右側部とに、それぞれ形成されている。又、各被係合部５４は、飲み口部５１の外周から凹設されるように形成されている。
【００４７】
また、この実施形態では、被係合部５４は、飲み口部５１と一体的に形成されている。換言すれば、被係合部５４と飲み口部５１とは、１つの部材によって形成されている。これにより、被係合部５４の形成を容易なものにしているとともに、部品点数が少なくなるようにしている。
【００４８】
そして、このように構成された飲み口部材５は、被係合部５４のそれぞれが蓋本体３の飲み口部材用係合部３２４のそれぞれに係合されることで、蓋本体３に対する飲み口部材５の下向きの移動が規制される。
【００４９】
また、この係合状態で、飲み口部材５の飲み口部５１は、全周にわたって蓋本体３の上端面から上方に突出しており、飲み口部５１に口を付けて容器本体１０内に収納された液体を直接飲むことができるようになっている。
【００５０】
次に、開閉操作蓋４について説明する。開閉操作蓋４は、図１、図２に示すように、円筒状の開閉操作蓋円筒部４１と、開閉操作蓋円筒部４１の軸方向である上下方向の上端側に形成された開閉操作蓋天板４２とを備えている。開閉操作蓋円筒部４１は、蓋本体３の円筒部３１と略同径に形成されている。
【００５１】
開閉操作蓋円筒部４１は、前部（Ｙ２側部）に、ロック操作片３４１のロック爪３４１ａに解除可能にロックされる被ロック部４１１を備えている。被ロック部４１１は、開閉操作蓋円筒部４１の外面から外方の前方に突出するように形成されている。
【００５２】
開閉操作蓋天板４２の下面には、液通孔閉鎖用パッキン取付部４２１が設けられており、この液通孔閉鎖用パッキン取付部４２１に、飲み口部材５の液通孔５３を密閉する液通孔閉鎖用パッキン６３が取り付けられる。
【００５３】
この実施形態の液通孔閉鎖用パッキン取付部４２１は、円筒状を呈し、その軸方向が上下方向に沿うように、開閉操作蓋天板４２の下面に一体的に形成されている。そして、この液通孔閉鎖用パッキン取付部４２１に液通孔閉鎖用パッキン６３が取り付けられる。
【００５４】
詳しくは、液通孔閉鎖用パッキン６３は、合成ゴム製の有底円筒状のもので、その下端部に、液通孔５３を密閉する略半球状の密栓部６３１を備えている。そして、液通孔閉鎖用パッキン６３の上部が液通孔閉鎖用パッキン取付部４２１に下方側から嵌め入れられることにより、液通孔閉鎖用パッキン取付部４２１に液通孔閉鎖用パッキン６３が取り付けられている。
【００５５】
このように構成された開閉操作蓋４は、開閉操作蓋円筒部４１の後部側が蓋本体３の軸支部３３に回動軸７１を介して軸支されている。これにより、開閉操作蓋４は、飲み口部材５を覆った図１の閉じ位置から、１６０°〜２００°回動して、飲み口部材５を開放した開き位置（図示せず）までの間で開閉可能とされている。
【００５６】
また、回動軸７１を介して軸支された開閉操作蓋４は、回動軸７１に付設された付勢部材であるねじりコイルバネ７２によって閉じ位置から開き位置の方向に付勢されている。
【００５７】
また、開閉操作蓋４は、図１の閉じ位置で、液通孔閉鎖用パッキン取付部４２１に取り付けた液通孔閉鎖用パッキン６３によって飲み口部材５の液通孔５３を密閉しているとともに、被ロック部４１１がロック操作片３４１のロック爪３４１ａに係合されてロックされた状態になっている。
【００５８】
次に、本発明の蓋部材を有する携帯タンブラー１の動作について説明する。蓋部材２を容器本体１０に取り付けて開閉操作蓋４を閉じ位置に配置した状態から、容器本体１０に収納した液体、例えば飲料水を飲み場合は、蓋本体３の押圧操作片３４２を上方側に摺動させる。これにより、図１に示すように、押圧操作部３４２ａが、円筒部３１の当て止め部３１２の上方位置の上位置にきた状態になる。
【００５９】
そして、この状態から、押圧操作部３４２ａを円筒部３１側（Ｙ１側）に押圧操作する。これにより、ロック操作片３４１がねじりコイルバネ３４４の付勢力に抗して軸３４３回りに回動して開閉操作蓋４の被ロック部４１１から外れ、開閉操作蓋４がロック解除される。ロック解除された開閉操作蓋４は、ねじりコイルバネ７２の付勢力によって開き位置まで回動する。従って、この状態で、例えば飲み口部材５の飲み口部５１に口を付けて容器本体１０の液体を直接飲むことができる。
【００６０】
その際、被係合部５４が飲み口部材５の上端よりも下方側に配置されているため、換言すれば、被係合部５４が飲み口部材５の上端よりも上方に突出していないため、被係合部５４が顔の一部に当たるようなことがなく、飲み易いものにできる。
【００６１】
また、飲み口部材用係合部３３４が、蓋本体３の上端面よりも下方側に配置されているため、蓋本体３の飲み口部材用係合部３３４と飲み口部材５の被係合部５１とが互いに係合された状態で、飲み口部材用係合部３３４と飲み口部材５の被係合部５１とが蓋本体３の上端面から突出することを防止でき、蓋本体３の上端面を清掃し易いものにできる。
【００６２】
携帯タンブラー１を清掃する場合は、まず、蓋部材２を容器本体１０から取り外す。そして、開閉操作蓋４を開き位置にした状態で、蓋本体３に対して飲み口部材５の飲み口部５１の上端を下方に押圧する。これにより、飲み口部材５の被係合部５４と蓋本体３の飲み口部材用係合部３３４との係合が外れ、飲み口部材５が蓋本体３から外れる（図１３参照）。
【００６３】
その際、左右方向（第１方向、Ｘ１−Ｘ２方向）の長さＬ１が前後方向（第２方向、Ｙ１−Ｙ２）の長さＬ２よりも大きい受容孔３３２の内周壁３３３に蓋本体３の飲み口部材用係合部３３４が形成されて第２方向における天板３２の面積が第１方向のそれよりも狭くなっている。これにより、蓋本体３が前後方向に較べて左右方向に変形し易く、飲み口部材５の被係合部５４と蓋本体３の飲み口部材用係合部３３４との係合が外れ易くできる。これにより、外す操作を容易なものにできる。しかも、繰り返し使用されても被係合部５４及び飲み口部材用係合部３３４のへたりが抑えられる。
【００６４】
また、飲み口部材用係合部３３４に係合した飲み口部材５の被係合部５４それぞれの上方側を押圧するに際し、飲み口部材用係合部３３４は、軸支部３３とロック操作片３４１とを結ぶ線Ｐに沿う前後方向（第１方向）に略直交する左右方向（第２方向）に沿って且つ前記結ぶ線Ｐを挟んだ両側のそれぞれに配置されているため、開き位置の開閉操作蓋４、或いは、蓋本体３の開閉操作蓋用ロック部３４が邪魔になるおそれが少なく、外し操作を容易に行うことができる。
【００６５】
以上の操作により、飲み口部材５が蓋本体３から外れ、分解した飲み口部材５及び蓋本体３を洗うことができる。
【００６６】
一方、飲み口部材５を蓋本体３に取り付ける場合は、図１３に示すように、蓋本体３の受容孔３３２に、飲み口部材５を下方側から押し入れる。これにより、図１に示すように飲み口部材５の飲み口部５１が蓋本体３の上端から上方に突出した状態で、飲み口部材５の被係合部５４と蓋本体３の飲み口部材用係合部３３４とが係合し、飲み口部材５を蓋本体３に取り付けることができる。
【００６７】
この場合においても、蓋本体３が左右方向に容易に変形して飲み口部材５の被係合部５４と蓋本体３の飲み口部材用係合部３３４とが容易に係合し、被係合部５４及び飲み口部材用係合部３３４のへたりを抑えることができる。
【００６８】
また、押圧に際して、飲み口部材用係合部３３４に係合した飲み口部材５の被係合部５４それぞれの下方側を押圧でき、開き位置の開閉操作蓋４、或いは、蓋本体３の開閉操作蓋用ロック部３４が邪魔になるおそれが少なく、取り付け操作を容易に行うことができる。
【００６９】
しかも、２つの飲み口部材用係合部３３４は、上下方向の位置が互いに略同じになるように形成されているため、２つの飲み口部材用係合部３３４を飲み口部材５の被係合部５１に略同時に係合させることができ、係合操作が容易になる。
【００７０】
また、この状態から、開き位置の開閉操作蓋４がねじりコイルバネ７２の付勢力に抗して閉め位置まで回動操作されると、被ロック部４１１の下面がロック操作片３４１のロック爪３４１ａの上面を押圧する。この押圧により、ロック操作片３４１がねじりコイルバネ３４４の付勢力に抗して軸３４３回りに回動して被ロック部４１１がロック爪３４１ａの下方に入り込む。そして、被ロック部４１１がロック爪３４１ａの下方に入り込むと、ロック操作片３４１がねじりコイルバネ３４４の付勢力によって元の状態に戻り、被ロック部４１１がロック操作片３４１のロック爪３４１ａにロックされた図１の状態になる。
【００７１】
このロック状態では、飲み口部材５の飲み口部５１が開閉操作蓋４で覆われているとともに、飲み口部材５の液通孔５３が液通孔閉鎖用パッキン６３の密栓部６３１で密閉された状態になっている。
【００７２】
尚、上記実施形態では、蓋本体３の飲み口部材用係合部３３４が凸部に形成され、飲み口部材５の被係合部５４が凹部に形成されたが、この形態のものに限らず、適宜変更でき、例えば飲み口部材用係合部３３４が凹部に形成され、被係合部５４が凸部に形成されてもよい。
【符号の説明】
【００７３】
１    携帯タンブラー
２    蓋部材
３    蓋本体
４    開閉操作蓋
５    飲み口部材
１０    容器本体
３３    軸支部
３４    開閉操作蓋用ロック部
５３    液通孔
５４    被係合部
３３４    飲み口部材用係合部
【図１】
0006774179.tif 000002
【図２】
0006774179.tif 000003
【図３】
0006774179.tif 000004
【図４】
0006774179.tif 000005
【図５】
0006774179.tif 000006
【図６】
0006774179.tif 000007
【図７】
0006774179.tif 000008
【図８】
0006774179.tif 000009
【図９】
0006774179.tif 000010
【図１０】
0006774179.tif 000011
【図１１】
0006774179.tif 000012
【図１２】
0006774179.tif 000013
【図１３】
0006774179.tif 000014